(57)【要約】      （修正有）【課題】使いやすく、安全で、耐久性があり、冷却速度を遅くすることができるヘアカール用装置を提供する。【解決手段】ヘアカール１００と、ヘアカールの蓋２００とを含むヘアカール用装置１であって、ヘアカール１００の一端面の左右両側にそれぞれピボット孔が設けられており、ヘアカールの蓋２００には、各前記ピボット孔に対応するピボットが設けられ、ピボットは、ピボット孔を貫通するために使用され、ヘアカールの蓋２００は、ヘアカール１００に対して開閉するために、ヘアカール１００の一端面に回転可能に配置され、ヘアカールの蓋２００は、完全に開いた状態ではヘアカール１００を覆っていない。【選択図】図１
0003228437.tif 000002
【実用新案登録請求の範囲】
【請求項１】
ヘアカールと、ヘアカールの蓋とを含むヘアカール用装置であって、
前記ヘアカールの一端面の左右両側にそれぞれピボット孔が設けられており、
前記ヘアカールの蓋には、各前記ピボット孔に対応するピボットが設けられ、前記ピボットは、前記ピボット孔を貫通するために使用され、前記ヘアカールの蓋は、前記ヘアカールに対して開閉するために、前記ヘアカールの一端面に回転可能に配置され、前記ヘアカールの蓋は、完全に開いた状態では前記ヘアカールを覆っていないことを特徴とするヘアカール用装置。
【請求項２】
前記ヘアカールの一端面には、キャップが設けられ、前記キャップの前側及び後側にそれぞれ閉じ用の嵌め口と開き用の嵌め口が設けられ、前記ヘアカールの蓋の後端には、嵌め柱が設けられ、前記嵌め柱は、前記ヘアカールの蓋が閉じたとき、前記閉じ用の嵌め口に固定され、前記嵌め柱は、前記ヘアカールの蓋が開いたとき、前記開き用の嵌め口に固定されることを特徴とする請求項１に記載のヘアカール用装置。
【請求項３】
前記ヘアカールの他端面には、電源カバーが設けられ、前記電源カバーには、閉じ用の嵌め口が設けられ、前記ヘアカールの蓋の前端には、嵌め柱が設けられ、前記嵌め柱は、前記ヘアカールの蓋が閉じたとき、前記閉じ用の嵌め口に固定されることを特徴とする請求項１に記載のヘアカール用装置。
【請求項４】
前記ヘアカールの蓋は、円弧状の三角形、半円弧形または多角形のいずれかであることを特徴とする請求項１に記載のヘアカール用装置。
【請求項５】
前記ヘアカールは、電源装置と加熱ユニットとを含み、前記加熱ユニットは、ポリイミド電熱シートであり、前記電源装置は、制御回路基板と、前記制御回路基板に接続された電源接続端子と、前記制御回路基板に接続された電源表示ランプとを有することを特徴とする請求項１に記載のヘアカール用装置。
【請求項６】
前記電源接続端子は、プラグタイプまたはＵＳＢタイプであることを特徴とする請求項５に記載のヘアカール用装置。
【請求項７】
前記ヘアカールは、外部の充電スタンドに接続されることを特徴とする請求項１、３、５、６のいずれか一項に記載のヘアカール用装置。
【請求項８】
電源装置と、中心管と、加熱ユニットと、電源カバーと、キャップと、ヘアカーリング管と、ヘアカールの蓋とを含むヘアカール用装置であって、
前記電源装置は、制御回路基板と、前記制御回路基板に接続された電源接続端子と、前記制御回路基板に接続された電源表示ランプとを有しており、
前記中心管は、前記電源装置を収容するために設けられており、
前記加熱ユニットは、前記中心管に巻き付けられ、前記電源装置に接続され発熱電力を取得しており、
前記電源カバーは、前記中心管の一端に配置され、前記電源カバーには前記電源接続端子を露出させるための貫通穴が設けられており、
前記キャップは、前記電源カバーに対応して前記中心管の他端に設けられており、
前記ヘアカーリング管は、前記加熱ユニットを覆っており、
前記ヘアカールの蓋は、前記ヘアカーリング管に対して開閉するために、前記キャップに回転可能に配置され、前記ヘアカールの蓋は、完全に開いたときには前記ヘアカーリング管を覆っていないことを特徴とするヘアカール用装置。
【請求項９】
前記キャップの左右両側にそれぞれピボット孔が設けられており、前記ヘアカールの蓋の左右両側には、それぞれ前記ピボット孔を貫通するピボットが設けられていることを特徴とする請求項８に記載のヘアカール用装置。
【請求項１０】
前記キャップの前側及び後側にそれぞれ閉じ用の嵌め口と開き用の嵌め口が設けられており、前記ヘアカールの蓋の後端には、嵌め柱が設けられており、前記嵌め柱は、前記ヘアカールの蓋が閉じたとき、前記閉じ用の嵌め口に固定され、前記嵌め柱は、前記ヘアカールの蓋が開いたとき、前記開き用の嵌め口に固定されることを特徴とする請求項８に記載のヘアカール用装置。
【請求項１１】
前記電源カバーには、閉じ用の嵌め口が設けられており、前記ヘアカールの蓋の前端には、嵌め柱が設けられており、前記嵌め柱は、前記ヘアカールの蓋が閉じたとき、前記閉じ用の嵌め口に固定されることを特徴とする請求項８に記載のヘアカール用装置。
【請求項１２】
前記ヘアカールの蓋は、円弧状の三角形、半円弧形または多角形のいずれかであることを特徴とする請求項８に記載のヘアカール用装置。
【請求項１３】
前記ヘアカーリング管の表面には、面ファスナーの複数のフックが設けられていることを特徴とする請求項８に記載のヘアカール用装置。
【請求項１４】
前記ヘアカーリング管の表面は、櫛状または滑らかな形状のいずれかであることを特徴とする請求項８に記載のヘアカール用装置。
【請求項１５】
前記電源装置は、外部の充電スタンドに接続され、前記充電スタンドは、前記電源接続端子に接続されることを特徴とする請求項８に記載のヘアカール用装置。
【請求項１６】
前記電源接続端子は、プラグタイプまたはＵＳＢタイプであることを特徴とする請求項８または請求項１５に記載のヘアカール用装置。
【請求項１７】
前記電源装置は、前記制御回路基板に接続されたサーモスタットを含み、前記加熱ユニットは、ポリイミド電熱シートであることを特徴とする請求項８または請求項１５に記載のヘアカール用装置。
【請求項１８】
前記ヘアカールの蓋は、冷却速度を遅くするための断熱コーティングが施されていることを特徴とする請求項１、２、３、４、８、９、１０、１１、１２のいずれか一項に記載のヘアカール用装置。
【考案の詳細な説明】
【技術分野】
【０００１】
本考案は、髪を整える装置に関し、特に断熱効果のあるヘアカール用装置に関する。
【背景技術】
【０００２】
既存のヘアロールは、クリップまたはゴムバンドで、ヘアロールを毛髪に一定時間固定する。または、外部の熱源（例えば、ヘアドライヤー、フードなど）を使用し、髪をカールさせる。
【０００３】
既存のヘアロールには、加熱用のヒーティングベースに配置されるヘアロールがある。或いは、充電と加熱のためのＵＳＢポートを備えるヘアロールもある。ヘアロールの熱が設定温度値に達したら、ヘアロールで髪を巻き上げ、クリップまたはゴムバンドで一定時間固定し、髪をカールさせる。
【０００４】
さらに、現在市販されている製品の中には、直接クリップがヘアロールに設けられているものもある。クリップを押すと、レバーの方式で、クリップがヘアロールに対して隙間を形成することができる。使用者は、クリップが開いたときに形成された隙間に髪を通して、髪をカーリングする。しかしながら、このやり方では、髪をスムーズにカーリングさせるのが難しい。主な理由は、クリップは使用するのが非常に便利で、紛失しにくいが、クリップ自体が髪の巻き付けの経路を妨げるからである。
【０００５】
クリップがヘアロールに設けられていない従来品の場合、髪を固定するためのクリップまたはゴムバンドを用意する必要がある。一方、クリップ付きのヘアロールでは、髪のカールをスムーズに行うことができない。
【考案の概要】
【考案が解決しようとする課題】
【０００６】
上記の問題と、構造設計が理想的ではないという問題を解決するため、さらにこの業界の発展を促進するため、より便利で、使用効率が良く、強度があるヘアカール用装置の開発が望まれるため、本願の考案者は、長年の製造販売の経験に基づき、解決策の研究を開始した。長い構想期間を経て、本願の実用新案が考案された。
【０００７】
本考案の主な目的は、使いやすく、安全で、耐久性があり、冷却速度を遅くすることができるヘアカール用装置を提供することである。
【課題を解決するための手段】
【０００８】
上記の目的を達成するため、本考案のヘアカール用装置は、ヘアカールと、ヘアカールの蓋とを含む。
ヘアカールの一端面の左右にピボット孔が設けられており、
ヘアカールの蓋には、各ピボット孔に対応するピボットが設けられ、ピボットは、ピボット孔を貫通するために使用され、ヘアカールの蓋は、ヘアカールに対して開閉するために、ヘアカールの一端面に回転可能に配置され、ヘアカールの蓋は、完全に開いたときにはヘアカールを覆っていない。
【０００９】
好ましくは、ヘアカールの一端面には、キャップが設けられ、キャップの前側及び後側にそれぞれ閉じ用の嵌め口と開き用の嵌め口が設けられる。ヘアカールの蓋の後端には、嵌め柱が設けられ、嵌め柱は、ヘアカールの蓋が閉じたとき、閉じ用の嵌め口に固定される。嵌め柱は、ヘアカールの蓋が開いたとき、開き用の嵌め口に固定される。
ヘアカールの蓋は、冷却速度を遅くするための断熱コーティングが施されている。
【００１０】
好ましくは、ヘアカールの他端面には、電源カバーが設けられる。電源カバーには、閉じ用の嵌め口が設けられ、ヘアカールの蓋の前端には、嵌め柱が設けられる。嵌め柱は、ヘアカールの蓋が閉じたとき、閉じ用の嵌め口に固定される。
好ましくは、ヘアカールは、外部の充電スタンドに接続される。
ヘアカールの蓋は、冷却速度を遅くするための断熱コーティングが施されている。
【００１１】
好ましくは、ヘアカールの蓋は、円弧状の三角形、半円弧形または多角形のいずれかである。
ヘアカールの蓋は、冷却速度を遅くするための断熱コーティングが施されている。
【００１２】
好ましくは、ヘアカールは、電源装置と加熱ユニットとを含み、加熱ユニットは、ポリイミド電熱シートである。電源装置は、制御回路基板と、制御回路基板に接続された電源接続端子と、制御回路基板に接続された電源表示ランプとを有している。
好ましくは、電源接続端子は、プラグタイプまたはＵＳＢタイプである。
好ましくは、ヘアカールは、外部の充電スタンドに接続される。
【００１３】
好ましくは、ヘアカールは、外部の充電スタンドに接続される。
ヘアカールの蓋は、冷却速度を遅くするための断熱コーティングが施されている。
【００１４】
上記の目的を達成するため、本考案のもう一つのヘアカール用装置は、電源装置と、中心管と、加熱ユニットと、電源カバーと、キャップと、ヘアカーリング管と、ヘアカールの蓋とを含む。
電源装置は、制御回路基板と、制御回路基板に接続された電源接続端子と、制御回路基板に接続された電源表示ランプとを有している。
中心管は、電源装置を収容するために設けられている。
加熱ユニットは、中心管に巻き付けられ、電源装置に接続されて発熱電力を取得している。
電源カバーは、中心管の一端に配置され、電源カバーには電源接続端子を露出させるための貫通穴が設けられている。
キャップは、電源カバーに対応して中心管の他端に設けられている。
ヘアカーリング管は、加熱ユニットを覆っている。
ヘアカールの蓋は、ヘアカーリング管に対して開閉するために、キャップに回転可能に配置され、ヘアカールの蓋は、完全に開いたときにはヘアカーリング管を覆っていない。
【００１５】
好ましくは、キャップの左右両側にそれぞれピボット孔が設けられており、ヘアカールの蓋の左右両側には、それぞれピボット孔を貫通するピボットが設けられている。
ヘアカールの蓋は、冷却速度を遅くするための断熱コーティングが施されている。
【００１６】
好ましくは、キャップの前側及び後側にそれぞれ閉じ用の嵌め口と開き用の嵌め口が設けられる。ヘアカールの蓋の後端には、嵌め柱が設けられ、嵌め柱は、ヘアカールの蓋が閉じたとき、閉じ用の嵌め口に固定される。嵌め柱は、ヘアカールの蓋が開いたとき、開き用の嵌め口に固定される。
ヘアカールの蓋は、冷却速度を遅くするための断熱コーティングが施されている。
【００１７】
好ましくは、電源カバーには、閉じ用の嵌め口が設けられる。ヘアカールの蓋の前端には、嵌め柱が設けられ、嵌め柱は、ヘアカールの蓋が閉じたとき、閉じ用の嵌め口に固定される。
ヘアカールの蓋は、冷却速度を遅くするための断熱コーティングが施されている。
【００１８】
好ましくは、ヘアカールの蓋は、円弧状の三角形、半円弧形または多角形のいずれかである。
ヘアカールの蓋は、冷却速度を遅くするための断熱コーティングが施されている。
【００１９】
好ましくは、ヘアカーリング管の表面には、面ファスナーの複数のフックが設けられる。
【００２０】
好ましくは、ヘアカーリング管の表面は、櫛状または滑らかな形状のいずれかである。
【００２１】
好ましくは、電源装置は、外部の充電スタンドに接続され、充電スタンドは、電源接続端子に接続されている。
好ましくは、電源接続端子は、プラグタイプまたはＵＳＢタイプである。
好ましくは、電源装置は、制御回路基板に接続されたサーモスタットを含み、加熱ユニットは、ポリイミド電熱シートである。
【００２２】
好ましくは、電源接続端子は、プラグタイプまたはＵＳＢタイプである。
【００２３】
好ましくは、電源装置は、制御回路基板に接続されたサーモスタットを含み、加熱ユニットは、ポリイミド電熱シートである。
【００２４】
本考案のヘアカール用装置のヘアカールの蓋は、好ましくは冷却速度を遅くするための断熱コーティングが施されている。
【００２５】
（本考案の効果）
従来技術と比較したときの本考案の利点は、ヘアカールの蓋にピボットを採用し、完全に持ち上げることができるため、ヘアカールの操作を妨げなくてすむ点、また、ヘアカールの蓋には断熱コーティングが施されており、使用時に冷却速度を低下させることができる点にある。加熱ユニットがポリイミド電熱シートである場合、最良の加熱効果を得ることができる。ポリイミド電熱シートは、巻き取ることができ、巻き取り時に加熱効果を均一に分散させることができる。
【００２６】
以下、本考案の技術的特徴と本考案が達成する効果を理解しやすくするため、好ましい実施形態の図面および詳細な説明を使用し、説明する。
【図面の簡単な説明】
【００２７】
【図１】本考案の好ましい実施形態によるヘアカール用装置のキャップを上部とした斜視図である。
【図２】本考案の好ましい実施形態によるヘアカール用装置の電源カバーを上部とした斜視図である。
【図３】本考案の好ましい実施形態によるヘアカール用装置のキャップを上部とした分解斜視図である。
【図４】本考案の好ましい実施形態によるヘアカール用装置の電源カバーを上部とした分解斜視図である。
【図５】本考案の好ましい実施形態によるヘアカール用装置の充電状態の概略を示す斜視図である。
【図６】本考案の好ましい実施形態によるヘアカール用装置のヘアカールの蓋が完全に開いた状態の概略を示す斜視図である。
【図７】本考案の好ましい実施形態によるヘアカール用装置のヘアカールの蓋が閉じた状態の概略を示す斜視図である。
【考案を実施するための形態】
【００２８】
図１から図４を参照する。本考案のヘアカール用装置１は、ヘアカール１００と、ヘアカール１００の一端面に回転可能に配置されたヘアカールの蓋２００とを含み、ヘアカールの蓋２００は、ヘアカール１００に対して開閉することができる。ヘアカール１００は、電源装置１０と、中心管２０と、加熱ユニット３０と、電源カバー４０と、キャップ５０と、ヘアカーリング管６０とを含む。ヘアカール１００の形状は、図示の円筒形状に加えて、楕円形または必要に応じて他の形状に設けることもでき、本出願の図面に表れる構造的外観に限定されない。ヘアカールの蓋２００は、ヘアカール１００の構造形状に対応して設けることもできる。
【００２９】
電源装置１０は、制御回路基板１１と、制御回路基板１１に接続された電源接続端子１２と、制御回路基板１１に接続された電源表示ランプ１３と、制御回路基板１１に接続されたサーモスタット１４とを有する。実施時、電源接続端子は、プラグタイプまたはＵＳＢタイプに設定することができる。ＵＳＢタイプを使用する場合、Ｔｙｐｅ−Ａ、Ｔｙｐｅ−Ｂ、Ｔｙｐｅ−Ｃ、Ｍｉｃｒｏ−Ａ、Ｍｉｃｒｏ−Ｂ、Ｍｉｎｉ−ＡまたはＭｉｎｉ−Ｂのいずれかを使用することができるが、Ｔｙｐｅ−Ｃポートの仕様が好ましい。電源表示ランプ１３は、好ましくはＬＥＤであって、電源表示ランプ１３は、プラグが差し込まれているとき、または充電時に点灯する。サーモスタット１４は、過熱を防止し、または、ヘアカール用装置１が電源に接続されている場合、温度が低すぎると自動的に加熱する。
【００３０】
ヘアカール１００は、中心管２０を介して電源装置１０を収容する。ヘアカール１００の一端面には電源カバー４０が設けられ、他端面にはキャップ５０が設けられる。電源カバー４０は、電源接続端子１２を露出させるための貫通穴４１を備え、また、電源カバー４０は、電源表示ランプ１３を露出させるための光源孔４２を備える。
【００３１】
加熱ユニット３０は、シート状であり、電力を得るため電源装置１０に接続される。加熱ユニット３０は、中心管２０に巻き付けられており、本実施形態の加熱ユニット３０がポリイミド電熱シート（polyimide film heater）を採用する時、最良の加熱効果が得られる。ポリイミド電熱シートは、巻き取ることができ、巻き取り時に加熱効果を均一に分散させることができる。
【００３２】
ヘアカーリング管６０は、加熱ユニット３０を覆い、中心管についても一緒に覆っている。本実施形態のヘアカーリング管６０の表面には、面ファスナーの複数のフック６１が設けられる。なお、本実施形態のヘアカーリング管６０の表面は、櫛状または滑らかな形状のいずれかとして設けられる（図示せず）。
【００３３】
ヘアカール１００の一端面には、電源カバー４０が設けられ、ヘアカール１００の他端面には、キャップ５０が設けられる。ヘアカールの蓋２００は、ヘアカール１００の一端面、すなわちキャップ５０に回動可能に設けられ、ヘアカーリング管６０に対して開閉される。本実施形態のヘアカールの蓋２００は、円弧状の三角形であることが好ましいが、半円弧形や多角形（図示せず）であってもよい。ヘアカールの蓋２００の内側のヘアカーリング管６０に当接する面には、断熱コーティングが施されている。これにより、ヘアカールの蓋２００が閉じたとき、加熱ユニット３０の冷却速度を遅くすることができる。
【００３４】
ヘアカール１００の電源接続端子１２は、プラグタイプまたはＵＳＢタイプで設定される。ＵＳＢタイプは、ポートの仕様を満たすＴｙｐｅ−Ａ、Ｔｙｐｅ−Ｂ、Ｔｙｐｅ−Ｃ、Ｍｉｃｒｏ−Ａ、Ｍｉｃｒｏ−Ｂ、Ｍｉｎｉ−ＡまたはＭｉｎｉ−Ｂのいずれかである。図５に示すように、電源接続端子１２は、ＵＳＢ電源コード８０に直接接続して電力を得、ヘアカール用装置１を発熱させることができる。
【００３５】
ヘアカール１００は、外部の充電スタンドに接続することもできる。充電スタンドは、電源接続端子１２（図示せず）に接続可能で、充電スタンドを使用してヘアカール用装置１を充電加熱し、必要に応じて、温度制御や電力制御などの調整機能を追加することができる。
【００３６】
図３、図６および図７に示すように、ヘアカール１００は、その一端面にあるキャップ５０の左右両側にそれぞれピボット孔５１が設けられている。ヘアカールの蓋２００の左右両側には、ピボット孔５１に対応し、それぞれピボット孔５１に貫通するピボット２０１が設けられている。
【００３７】
キャップ５０の前側及び後側には、それぞれ閉じ用の嵌め口５２と、開き用の嵌め口５３が設けられる。ヘアカールの蓋２００の後端には、嵌め柱２０２が設けられる。嵌め柱２０２は、ヘアカールの蓋２００が閉じたとき、閉じ用の嵌め口５２に固定される。嵌め柱２０２は、ヘアカールの蓋２００が開いたとき、開き用の嵌め口５３に固定される。それにより、ヘアカールの蓋２００は、完全に開いた状態ではヘアカーリング管６０を覆わない。
【００３８】
必要に応じ、キャップ５０は、他の適切な位置に閉じ用の嵌め口５２と、開き用の嵌め口５３を設置することができる。二つの嵌め口の位置に応じてヘアカールの蓋２００に嵌め柱２０２を予め設け、対応して固定させる。
【００３９】
ヘアカール用装置１は、ヘアカールの蓋２００を閉じるための、閉じ用の嵌め口のみを設けることもできる。電源カバー４０に予め閉じ用の嵌め口を設定し、嵌め柱２０２をヘアカールの蓋２００の前端の内側に設けると、ヘアカールの蓋２００が閉じたとき、嵌め柱２０２は、電源カバー４０の閉じ用の嵌め口（図示せず）に固定される。
【００４０】
ヘアカールの蓋２００は、完全に開いた状態ではヘアカーリング管６０を覆わないため、カーリング操作がより便利である。ヘアカール用装置１が加熱状態にある場合、カーリング後、すぐにヘアカールの蓋２００を閉じることができ、カーリング操作を行って、ヘアスタイリングを完了することができる。
【００４１】
本考案の実施により、ヘアカール用装置１は、カーリング操作を邪魔することなく、使いやすく、保温効果と安全性を向上させる。
【００４２】
本考案は、非常に優れた考案であるため、ここに実用新案登録を出願する。ただし、上述の説明内容は、本考案の好ましい実施形態であって、本考案の請求の範囲に対する同等の変更および修正は、本考案の請求の範囲に包含される。
【符号の説明】
【００４３】
１        ヘアカール用装置
１０      電源装置
１１      制御回路基板
１２      電源接続端子
１３      電源表示ランプ
１４      サーモスタット
２０      中心管
３０      加熱ユニット
４０      電源カバー
４１      貫通穴
４２      光源孔
５０      キャップ
５１      ピボット孔
５２      閉じ用の嵌め口
５３      開き用の嵌め口
６０      ヘアカーリング管
６１      フック
８０      ＵＳＢ電源コード
１００    ヘアカール
２００    ヘアカールの蓋
２０１    ピボット
２０２    嵌め柱
【図１】
0003228437.tif 000003
【図２】
0003228437.tif 000004
【図３】
0003228437.tif 000005
【図４】
0003228437.tif 000006
【図５】
0003228437.tif 000007
【図６】
0003228437.tif 000008
【図７】
0003228437.tif 000009